(57)【要約】【課題】光を照射しても眩しさを感じ難い施療用照明装置および姿見装置を提供する。【解決手段】施療用照明装置１は、第１光源１１０と、第２光源１２０と、第１光源１１０の配光軸と第２光源１２０の配光軸とが交差する角度を変更可能なヒンジ７と、角度に応じて第１光源１１０及び第２光源１２０の動作を、周囲を照らす照明光を出射する通常モードと、施療するための施療光を出射する施療モードとに切り替える制御部１３２とを備える。【選択図】図２
2018142422.tif 000002
【特許請求の範囲】
【請求項１】
第１光源と、
第２光源と、
前記第１光源の配光軸と前記第２光源の配光軸とが交差する角度を変更可能な可動部と、
前記角度に応じて前記第１光源及び前記第２光源の動作を、周囲を照らす照明光を出射する通常モードと、施療するための施療光を出射する施療モードとに切り替える制御部とを備える
施療用照明装置。
【請求項２】
前記制御部は、前記通常モードでの前記第２光源の明るさよりも、前記施療モードでの前記第２光源を明るく点灯させる
請求項１に記載の施療用照明装置。
【請求項３】
前記制御部は、前記通常モードでの前記第１光源の明るさよりも、前記施療モードでの前記第１光源を暗く点灯させる
請求項１又は２に記載の施療用照明装置。
【請求項４】
前記施療モードでの前記第２光源の青色成分の光量は、前記通常モードでの前記第１光源の青色成分の光量、又は、前記通常モードでの前記第２光源の青色成分の光量よりも比率が大きい
請求項１〜３のいずれか１項に記載の施療用照明装置。
【請求項５】
前記施療モードでの前記第２光源の青色成分の光量は、前記通常モードでの前記第１光源の青色成分の光量、又は、前記通常モードでの前記第２光源の青色成分の光量よりも多い
請求項１〜４のいずれか１項に記載の施療用照明装置。
【請求項６】
前記制御部は、前記施療モードで動作する場合に、前記第１光源の配光軸と前記第２光源の配光軸との角度に応じて、前記第１光源及び前記第２光源の少なくとも一方の出力を変化させる
請求項１〜５のいずれか１項に記載の施療用照明装置。
【請求項７】
前記第１光源の両側には、一対の前記第２光源が設けられる
請求項１〜６のいずれか１項に記載の施療用照明装置。
【請求項８】
請求項１〜７のいずれか１項に記載の施療用照明装置と、
前記第１光源が配置される第１鏡と、
前記第１鏡の両側に配置される一対の第２鏡とを備え、
前記第２鏡の各々には、前記第２光源が配置される
姿見装置。
【請求項９】
さらに、前記可動部が可動する角度を検知する角度検知部を備え、
前記可動部は、前記第１鏡と前記一対の第２鏡とを接続したヒンジであり、
前記制御部は、前記角度検知部が検知した前記ヒンジが可動する角度に応じて、前記通常モードと前記施療モードとを切り替える
請求項８に記載の姿見装置。
【発明の詳細な説明】
【技術分野】
【０００１】
本発明は、施療効果のある光を照射する施療用照明装置および施療用照明装置を用いた姿見装置に関する。
【背景技術】
【０００２】
従来、前方を照明する照明灯（第１光源の一例）を備える洗面化粧台（施療用照明装置の一例）が知られている（例えば特許文献１参照）。
【先行技術文献】
【特許文献】
【０００３】
【特許文献１】特開平５−１７４９７７号公報
【発明の概要】
【発明が解決しようとする課題】
【０００４】
このような、従来の洗面化粧台では、前方を照明しているが、使用者が眩しく感じてしまう。このため、化粧等の視作業を行い難くなるといった問題がある。
【０００５】
そこで、本発明は、光を照射しても眩しさを感じ難い施療用照明装置および姿見装置を提供することを目的とする。
【課題を解決するための手段】
【０００６】
上記目的を達成するため、本発明の一態様に係る施療用照明装置は、第１光源と、第２光源と、前記第１光源の配光軸と前記第２光源の配光軸とが交差する角度を変更可能な可動部と、前記角度に応じて前記第１光源及び前記第２光源の動作を、周囲を照らす照明光を出射する通常モードと、施療するための施療光を出射する施療モードとに切り替える制御部とを備える。
【０００７】
また、上記目的を達成するため、本発明の一態様に係る姿見装置は、施療用照明装置と、前記第１光源が配置される第１鏡と、前記第１鏡の両側に配置される一対の第２鏡とを備え、前記第２鏡の各々には、前記第２光源が配置される。
【発明の効果】
【０００８】
本発明によれば、光を照射しても眩しさを感じ難い。
【図面の簡単な説明】
【０００９】
【図１】図１は、実施の形態に係る姿見装置を示す斜視図である。
【図２】図２の（ａ）は、実施の形態に係る姿見装置のサイドミラーが回動していない状態を示す部分拡大斜視図である。図２の（ｂ）は、実施の形態に係る姿見装置のサイドミラーが回動している状態を示す部分拡大斜視図である。
【図３】図３は、実施の形態に係る施療用照明装置から出射する配光曲線を示す図である。
【図４】図４は、実施の形態に係る施療用照明装置を示すブロック図である。
【図５】図５の（ａ）は、第１光源の配光軸と第２光源の配光軸とが平行の場合を示す模式図である。図５の（ｂ）は、第１光源の配光軸と第２光源の配光軸との角度を示す模式図である。
【図６】図６は、実施の形態に係る施療用照明装置の動作を示すフローチャートである。
【図７】図７は、正面から被験者に光を当てた場合の検証結果における最大輝度と眩しさの許容度との関係を示すグラフである。
【図８】図８は、正面に対して斜め４５°から被験者に光を当てた場合の検証結果における最大輝度と眩しさの許容度との関係を示すグラフである。
【図９】図９は、実施の形態の変形例に係る姿見装置の第２光源が回動している状態を示す部分拡大斜視図である。
【図１０】図１０は、変形例に係る姿見装置において、サイドミラーの角度を検知する例を示す模式図である。
【発明を実施するための形態】
【００１０】
（本発明の基礎となった知見）
近年では、季節性うつ病、睡眠相後退症候群、月経前症候群による概日リズムの乱れ、眠気、不眠症等に対し、午前中から１５時位までに高照度の光照射を行うことで、メラトニンの分泌リズム及び概日リズム（生体リズム）が整えられ、これらの症状を緩和することができる光施療が行われている。ここで、生体リズムとは、人の生理現象として、一定の時刻になると自然に眠くなり、一定時間眠ると自然に目が覚めるという生体リズムが約１日の周期で行われているリズムである。
【００１１】
このような光施療を行うに際し、一般的に、眼（目）に所定の波長を有する光を取り入れることで、生体リズムを整えることが知られている。生体リズムを整える光には、例えば青色光がある。青色光には、日中に青色を含む光を浴びると、生体リズムを改善する効果があることが知られている。特に、日中に所定の光量以上の青色の光を浴びると、生体ホルモンであるメラトニンの分泌量が増加したり、1日での分泌量の変化（位相）において、位相が前進したりする効果があることが知られている。このため、この青色光を眼に入射させることで、生体リズムの改善を行うことが望ましい。
【００１２】
人が浴光をすると、生体リズム（体内時計）に関わるメラトニンが夜間に生成され易くなるため、質の高い睡眠を得ることができる。
【００１３】
メラトニンの分泌に一番高く影響を与える感度は、４８０ｎｍ近傍にピークを持つ波長の光が必要であることが知られている。このため、人間の眼にあてる光は、４８０ｎｍ近傍の波長の光が多く含まれていることが望ましい。
【００１４】
これらのことから、人間は、眼から効率よく光を取り入れることが必要である。しかし、眼に光が入る場合において、高い輝度の光を浴びると、瞳孔が収縮し、自然に目を細めるという生理現象が起こる。つまり、高い輝度の光を浴びると、人間は、眩しさを感じてしまう。このため、従来の装置のように単に光を浴びるだけでは、適切な視作業を行い難くなる。
【００１５】
そこで、人間が感じる眩しさ抑制するために、光源の出射側に光拡散板等を設けることも考えられるが、光拡散板等を設ければ、施療用照明装置の大型化および製造コストの高騰化を招いてしまう。
【００１６】
このため、人間の眼に青色光を入光させつつ、人間が光を眩しく感じないようにすることが求められている。そこで、光を照射しても眩しさを感じ難い施療用照明装置および姿見装置を提供する。
【００１７】
以下、本発明の実施の形態について、図面を参照しながら説明する。以下に説明する実施の形態は、いずれも本発明の好ましい一具体例を示すものである。したがって、以下の実施の形態で示される数値、形状、材料、構成要素、構成要素の配置位置及び接続形態などは、一例であって本発明を限定する主旨ではない。よって、以下の実施の形態における構成要素のうち、本発明の最上位概念を示す独立請求項に記載されていない構成要素については、任意の構成要素として説明される。
【００１８】
また、「略＊＊」との記載は、「略同一」を例に挙げて説明すると、全く同一はもとより、実質的に同一と認められるものを含む意図である。また、「＊＊近傍」においても同様である。
【００１９】
なお、各図は、模式図であり、必ずしも厳密に図示されたものではない。また、各図において、実質的に同一の構成に対しては同一の符号を付しており、重複する説明は省略又は簡略化する。
【００２０】
（実施の形態）
以下、本発明の実施の形態に係る施療用照明装置および姿見装置について説明する。
【００２１】
［構成］
図１は、実施の形態に係る姿見装置１００を示す斜視図である。図２の（ａ）は、実施の形態に係る姿見装置１００のサイドミラー５３が回動していない状態を示す部分拡大斜視図である。図２の（ｂ）は、実施の形態に係る姿見装置１００のサイドミラー５３が回動している状態を示す部分拡大斜視図である。図３は、実施の形態に係る施療用照明装置１から出射する配光曲線を示す図である。図４は、実施の形態に係る施療用照明装置１を示すブロック図である。図５の（ａ）は、第１光源１１０の配光軸と第２光源１２０の配光軸とが平行の場合を示す模式図である。図５の（ｂ）は、第１光源１１０の配光軸と第２光源１２０の配光軸との角度を示す模式図である。
【００２２】
図１では、使用者から姿見装置１００の正面を見て、第１光源１１０の配光軸をＸ軸プラス方向と規定し、キャビネット本体３に対してミラーキャビネット５側をＺ軸プラス方向と規定し、Ｚ軸プラス方向およびＸ軸プラス方向と直交する方向をＹ軸プラス方向と規定し、Ｘ、Ｙ、Ｚの各方向を表示する。そして、図１に示す各方向は、全て図２に示す各方向に対応させて表示する。図２以降の図においても、同様である。
【００２３】
図１に示すように、姿見装置１００は、住宅等の室内に設置される使用者の姿を映す装置であり、例えば洗面化粧台、三面鏡ドレッサー等である。本実施の形態では、洗面化粧台を例にあげている。この姿見装置１００は、例えば使用者が化粧、着替え、洗顔等の身だしなみを整える際に、使用者に光を照射することができる。
【００２４】
図１に示すように、姿見装置１００は、キャビネット本体３と、ミラーキャビネット５と、複数のヒンジ７（可動部の一例）と、図４の施療用照明装置１とを有している。
【００２５】
キャビネット本体３は、蛇口を備え付けた洗面ボウル３１がはめ込まれた洗面台である。洗面ボウル３１には、蛇口が備え付けられ、洗顔、手洗い、洗髪等の作業を行うことができる。キャビネット本体３は、洗顔、洗髪、化粧等に必要な備品等を収納する収納空間を有する。キャビネット本体３は、収納空間を開閉する扉や引き出し等を有している。
【００２６】
ミラーキャビネット５は、キャビネット本体３のＺ軸プラス側で立設している。ミラーキャビネット５は、キャビネット本体３に設置されて洗面化粧台を構成している。
【００２７】
ミラーキャビネット５は、センターミラー５１（第１鏡の一例）と、一対のサイドミラー５３（第２鏡の一例）とを有する。
【００２８】
センターミラー５１は、一対のサイドミラー５３の間に配置され、Ｚ軸方向及びＹ軸方向と略平行となるように、立設状態でミラーキャビネット５に固定されている。なお、センターミラー５１は、水平方向に開閉してもよい。
【００２９】
一方のサイドミラー５３は、センターミラー５１のＹ軸プラス方向側に配置され、Ｚ軸方向及びＹ軸方向と略平行となるように、立設状態でミラーキャビネット５に保持されている。図２の（ａ）および図２の（ｂ）に示すように、一方のサイドミラー５３は、センターミラー５１の一方側端縁（Ｙ軸プラス方向側の端縁）のＺ軸方向を中心軸として、水平方向に回動自在に設けられる。
【００３０】
他方のサイドミラー５３は、センターミラー５１のＹ軸マイナス方向側に配置され、Ｚ軸方向及びＹ軸方向と略平行となるように、立設状態でミラーキャビネット５に保持されている。他方のサイドミラー５３は、センターミラー５１の他方側端縁（Ｙ軸マイナス方向側の端縁）におけるＺ軸方向を中心軸として、水平方向に回動自在に設けられる。
【００３１】
施療用照明装置１は、第１光源１１０と、一対の第２光源１２０とを有する。
【００３２】
第１光源１１０は、一対の第２光源１２０の間に配置され、ミラーキャビネット５の前方向（Ｘ軸プラス方向側）に光を照射する。第１光源１１０は、Ｘ軸プラス方向側の面に配置され、使用者が姿見装置１００を使用する際に、使用者に光を照射するように、センターミラー５１に配置されている。なお、本実施の形態では、第１光源１１０は、センターミラー５１のＺ軸マイナス方向側の端縁に配置されているが、保持部材を介してセンターミラー５１に保持されていてもよい。
【００３３】
本実施の形態では、第１光源１１０は、センターミラー５１のＺ軸マイナス方向側の端縁に配置されている。第１光源１１０の配光軸は、Ｘ軸プラス方向と略平行に光を出射する。ここで、配光軸は、図３に示される配光曲線の０°方向の直線である。つまり、配光軸は、配光曲線の最大値（最も強度の強い部分）と光源とを結んだ直線である。
【００３４】
図２の（ａ）および図２の（ｂ）に示すように、一方の第２光源１２０は、第１光源１１０のＹ軸プラス方向側に配置され、ミラーキャビネット５の前方向（Ｘ軸プラス方向側）に光を照射する。つまり、一方の第２光源１２０は、使用者が姿見装置１００を使用する際に、使用者に光を照射するように、一方のサイドミラー５３に保持されている。
【００３５】
他方の第２光源１２０は、第１光源１１０のＹ軸マイナス方向側に配置され、ミラーキャビネット５の前方向（Ｘ軸プラス方向側）に光を照射する。つまり、他方の第２光源１２０は、使用者が姿見装置１００を使用する際に、使用者に光を照射するように、他方のサイドミラー５３に保持されている。
【００３６】
本実施の形態では、第２光源１２０は、サイドミラー５３のＺ軸マイナス方向側の端縁に配置されている。サイドミラー５３が水平方向に回動していない図２の（ａ）の状態の場合に、第２光源１２０の配光軸は、Ｘ軸プラス方向と略平行に光を出射する。なお、本実施の形態では、第２光源１２０は、サイドミラー５３に直接保持されているが、保持部材を介してサイドミラー５３に保持されていてもよい。
【００３７】
第１光源１１０および第２光源１２０は、施療光及び照明光を選択的に照射する。具体的に、第１光源１１０および第２光源１２０は、使用者に向けて、施療光の照射、照明光の照射、施療光及び照明光の両方の光の照射を行う。
【００３８】
ここで、施療光は、使用者の生体リズムを改善する効果のある光である。施療光は、３８０ｎｍ以上５００ｎｍ以下の青色領域の波長を含む光である。特に、施療光は、４８０ｎｍ近傍の波長の光を含むことが好ましい。また、照明光は、例えば、波長が３８０ｎｍ以上７８０ｎｍ以下の可視光帯域の波長の光である。照明光は、周囲を照明するための光であり、施療光のように、意図して施療を行う光ではない。
【００３９】
第１光源１１０および第２光源１２０は、例えば、ＬＥＤ（発光ダイオード）素子、半導体レーザ等の半導体発光素子、または、有機ＥＬ（Ｅｌｅｃｔｒｏ  Ｌｕｍｉｎｅｓｃｅｎｃｅ）や無機ＥＬ等のＥＬ素子等その他の固体発光素子であってもよい。
【００４０】
ヒンジ７は、水平方向に回動可能に、センターミラー５１および一対のサイドミラー５３に固定されている。ヒンジ７は、センターミラー５１に対して一対のサイドミラー５３の角度を変更可能にする部材であり、第１光源１１０の配光軸と第２光源１２０の配光軸とが交差する角度を変更可能である。センターミラー５１のＹ軸プラス方向側の縁部には、２つのヒンジ７が装着されている。一方のヒンジ７は、センターミラー５１および一方のサイドミラー５３のＺ軸プラス方向側で、センターミラー５１に一方のサイドミラー５３を固定（接続）している。また、他方のヒンジ７は、センターミラー５１および一方のサイドミラー５３のＺ軸マイナス方向側で、センターミラー５１に一方のサイドミラー５３を固定（接続）している。
【００４１】
また、センターミラー５１のＹ軸マイナス方向側の縁部には、２つのヒンジ７が装着されている。一方のヒンジ７は、センターミラー５１および他方のサイドミラー５３のＺ軸プラス方向側で、センターミラー５１に他方のサイドミラー５３を固定している。また、他方のヒンジ７は、センターミラー５１および他方のサイドミラー５３のＺ軸マイナス方向側で、センターミラー５１に他方のサイドミラー５３を固定している。
【００４２】
こうして本実施の形態では、一対のサイドミラー５３は、４つのヒンジ７により、センターミラー５１に対して水平方向に回動自在に支持される。
【００４３】
図４に示すように、施療用照明装置１は、さらに、複数の角度検知部１３１と、制御部１３２と、タイマ部１３３と、電源部１３４とを有している。
【００４４】
角度検知部１３１は、ヒンジ７が可動する角度（ヒンジ７の角度）を検知する角度検知センサであり、例えばロータリーエンコーダである。ロータリーエンコーダは、検知したヒンジ７の角度を制御部１３２に出力する。ヒンジ７の角度を検知する例として、ヒンジの回動動作に応じて回動するロータリーエンコーダを、ヒンジに配置することで、ヒンジの回動動作に応じたヒンジ７の角度を検知してもよい。ヒンジ７の回動動作とともに、ロータリーエンコーダの回転軸が回転するように、ヒンジの回転軸とロータリーエンコーダの回転軸とが一体的に固定されていてもよい。これにより、ロータリーエンコーダは、ヒンジ７の角度を検知し、角度を示す信号を制御部１３２に出力することができる。
【００４５】
本実施の形態では、角度検知部１３１は、センターミラー５１に対してＹ軸プラス方向側のヒンジ７と、センターミラー５１に対してＹ軸マイナス方向側のヒンジ７とに１つづつ設けられている。
【００４６】
図５の（ａ）及び図５の（ｂ）に示すように、ここでヒンジ７の角度θ１とは、ヒンジ７が水平方向に回動した角度であり、例えば、図５の（ａ）の状態から図５の（ｂ）の状態に変化した場合である。言い換えれば、センターミラー５１の平面に対するサイドミラー５３が回動した分だけ、ヒンジ７が水平方向に回動する。このヒンジ７の角度θ１は、センターミラー５１の平面に対するサイドミラー５３の平面の角度θ２と等しく、第１光源１１０の配光軸と第２光源１２０の配光軸とが交差する角度θ３と等しい。このため、ヒンジ７の角度θ１と、センターミラー５１の平面に対するサイドミラー５３の平面の角度θ２と、第１光源１１０の配光軸と第２光源１２０の配光軸とが交差する角度θ３とは同義として使用する。例えば、図５の（ａ）のように、センターミラー５１の平面とサイドミラー５３の平面とが略平行（第１光源１１０の配光軸と第２光源１２０の配光軸とが平行）な状態が、ヒンジ７の角度θ１＝０°である。
【００４７】
図４に示すように、制御部１３２は、第１光源１１０、第２光源１２０及び電源部１３４等の動作を制御するための制御回路等から構成されている。制御部１３２は、点灯制御回路を有し、第１光源１１０及び第２光源１２０の点灯及び消灯を制御する。具体的には、制御部１３２は、電源部１３４からの電力の供給のオン及びオフを制御する。例えば、操作部が点灯の操作を受けた場合に、制御部１３２は、電源部１３４から電力を第１光源１１０及び第２光源１２０に供給して、第１光源１１０及び第２光源１２０を点灯させる。また、操作部から消灯の操作を受けた場合に、制御部１３２は、電源部１３４からの第１光源１１０及び第２光源１２０への電力の供給を遮断することで、第１光源１１０及び第２光源１２０を消灯する。
【００４８】
制御部１３２は、第１光源１１０及び第２光源１２０の調光及び調色を制御する。具体的には、調光は、制御部１３２が第１光源１１０及び第２光源１２０への電流の出力を増減させることにより実現される。また、調色は、制御部１３２が第１光源１１０及び第２光源１２０のそれぞれに対する供給電流のバランスを変更することで実現される。なお、制御部１３２の第１光源１１０及び第２光源１２０への供給電流の増減は、例えば、ＰＷＭ制御などにより行われる。
【００４９】
制御部１３２は、角度検知部１３１が検知したヒンジ７の角度に応じて、通常モード（第１モードの一例）と、通常モードと異なる施療モード（第２モードの一例）とに切り替える。具体的には、ヒンジ７の角度が所定の角度以上となったことを、角度検知部１３１を介して制御部１３２が検知すると、通常モードから施療モードに切り替える。また、ヒンジ７の角度が所定の角度未満となったことを、角度検知部１３１を介して制御部１３２が検知すると、施療モードから通常モードに切り替える。
【００５０】
通常モードは、周囲を照らす照明光を第１光源１１０及び第２光源１２０が出射する。通常モードでは、制御部１３２が第１光源１１０及び第２光源１２０を通常の点灯をさせる。施療モードは、施療するための施療光を出射するモードであり、主に、第２光源１２０から青色成分の光量を増加させる。
【００５１】
制御部１３２は、施療モードで動作する場合に、第１光源１１０の配光軸と第２光源１２０の配光軸とが交差する角度に応じて第１光源１１０及び第２光源１２０の動作を制御する。具体的には、制御部１３２は、この角度に応じて通常モードでの第２光源１２０の明るさよりも、施療モードでの第２光源１２０を明るく点灯させる。例えば、角度が大きくなれば、制御部１３２は、第２光源１２０の明るさを、通常モードよりも施療モードの方を明るく点灯させる。
【００５２】
また、制御部１３２は、角度に応じて通常モードでの第１光源１１０の明るさよりも、施療モードでの第１光源１１０を暗く点灯させる。例えば、角度が大きくなれば、制御部１３２は、第１光源１１０の明るさを、通常モードよりも施療モードの方を暗く点灯させる。
【００５３】
制御部１３２は、施療モードで動作する場合に、第１光源１１０の配光軸と第２光源１２０の配光軸との角度に応じて、第１光源１１０及び第２光源１２０の少なくとも一方の出力を変化させる。例えば、施療モードで動作する場合に、この角度が大きくなるに従い、制御部１３２は、第１光源１１０および第２光源１２０の少なくとも一方の明るさを次第に明るくしてもよい。
【００５４】
制御部１３２は、通常モードでの第１光源１１０の青色成分の光量、又は、通常モードでの第２光源１２０の青色成分の光量よりも、施療モードでの第２光源１２０の青色成分の光量の比率が大きくなるように、第２光源１２０を点灯させる。つまり、第２光源１２０が出射する全光量における青色成分の光量の割合は、通常モードでの第１光源１１０が出射する全光量における青色成分の光量の割合、又は、通常モードでの第２光源１２０が出射する全光量における青色成分の光量の割合よりも多い。
【００５５】
また、制御部１３２は、通常モードでの第１光源１１０の青色成分の光量、又は、通常モードでの第２光源１２０の青色成分の光量よりも、施療モードでの第２光源１２０の青色成分の光量が多くなるように、第２光源１２０を点灯させる。つまり、施療モードでの第２光源１２０は、通常モードでの第１光源１１０及び第２光源１２０よりも青色成分を多く含んだ光を出射する。
【００５６】
制御部１３２は、通常モードでの第２光源１２０の明るさよりも、施療モードでの第２光源１２０を明るく点灯させる。つまり、制御部１３２は、通常モードで動作する場合よりも、施療モードで動作する場合の方が、第２光源１２０から青色成分の光を多く出射させる。
【００５７】
制御部１３２は、例えば、入力された信号に応じて第１光源１１０及び第２光源１２０に供給する電流値等を制御するマイクロコンピュータ、プロセッサ、または専用回路によって実現される。
【００５８】
施療用照明装置１には、操作部が設けられていてもよい。操作部には、光選択ボタンと、モード選択ボタンと、光照射スイッチと、施療光設定ボタンとが並ぶように設けられていてもよい。光選択ボタンは、施療光及び照明光の照射を選択するボタンであってもよい。モード選択ボタンは、後述する通常モードか施療モードかを選択するボタンであってもよい。光照射スイッチは、第１光源１１０及び第２光源１２０から光を照射させる光照射スイッチであってもよい。光設定ボタンは、使用者の選択により、施療光及び照明光の強弱を設定することができてもよい。
【００５９】
なお、操作部は、機械式の押しボタンでもよく、静電容量式のタッチパネルでもよい。また、操作部は、リモートコントローラにより操作可能でもよい。
【００６０】
タイマ部１３３は、制御部１３２に接続され、第１光源１１０及び第２光源１２０が施療光を照射する時間を計測する装置である。タイマ部１３３は、計測時間を制御部１３２に送信する。タイマ部１３３の設定は、操作部を用いて使用者が施療を行う時間を設定することができる。
【００６１】
なお、施療用照明装置１は、タイマ部１３３に設定した時間を記憶する不揮発性の記憶装置を備えていてもよい。記憶部としては、例えばフラッシュメモリまたはＥＥＰＲＯＭなどの半導体メモリが採用される。
【００６２】
電源部１３４は、系統電力から供給された交流電力を直流電力に変換するダイオードブリッジ型の整流回路と、ＤＣ−ＤＣコンバータとを有する。なお、電源部１３４は、整流回路及びＤＣ−ＤＣコンバータと同等の機能を有する１つのＩＣ（Ｉｎｔｅｇｒａｔｅｄ  Ｃｉｒｃｕｉｔ）で実現されてもよい。電源部１３４は、制御部１３２に制御されて第１光源１１０、第２光源１２０等の各部に電力を供給する。
【００６３】
［動作］
本実施の形態における施療用照明装置１および姿見装置１００の動作について、図６を用いて説明する。
【００６４】
図６は、実施の形態に係る施療用照明装置１の動作を示すフローチャートである。
【００６５】
本実施の形態では、２つのヒンジ７の角度をそれぞれ感知する２つの角度検知部１３１が設けられているが、本フローでは一方側のヒンジ７および角度検知部１３１について説明する。他方側のヒンジ７および角度検知部１３１については、同様の動作であるため説明を省略する。
【００６６】
使用者が施療用照明装置１の電源をＯＮにして施療用照明装置１を起動させ、図６のフローがスタートする。
【００６７】
図６に示すように、まず、角度検知部１３１は、ヒンジ７が可動する角度を検知する（Ｓ１）。
【００６８】
次に、制御部１３２は、ヒンジ７が可動した角度が所定の角度以上であるか否かを検知する（Ｓ２）。
【００６９】
次に、ヒンジ７が可動した角度が所定の角度以上であれば（Ｓ２ではＹＥＳ）、制御部１３２は、施療モードに切り替える（Ｓ３）。
【００７０】
次に、制御部１３２は、第１光源１１０および第２光源１２０を施療モードで点灯させる（Ｓ４）。具体的に施療モードにおいて、制御部１３２は、第２光源１２０の明るさを通常モードで点灯する場合よりも明るくし、通常モードで点灯する場合よりも第２光源１２０の青色成分の光量の比率を大きくし、通常モードで点灯する場合よりも第２光源１２０の青色成分の光量が多くなるように第２光源１２０を点灯させる。また、施療モードでは、制御部１３２は、通常モードよりも第１光源１１０を暗く点灯させる。
【００７１】
次に、制御部１３２は、施療モード開始から施療時間が経過したか否かを判断する（Ｓ５）。施療時間は、予めタイマ部１３３で設定される。
【００７２】
設定した施療時間が経過したと制御部１３２が判断した場合（Ｓ５ではＹＥＳ）に、制御部１３２は、施療用照明装置１の電源をＯＦＦにする（Ｓ６）。そして、このフローは終了する。なお、このフローチャートでは、ステップＳ５の処理をした後に、ステップＳ７に進み、通常モードに切り替えてもよい。
【００７３】
一方、設定した施療時間が経過していないと制御部１３２が判断した場合（Ｓ５ではＮＯ）は、ステップＳ５に戻る。
【００７４】
また、ヒンジ７が可動した角度が所定の角度未満であれば（Ｓ２ではＮＯ）、制御部１３２は、通常モードに切り替える（Ｓ７）。
【００７５】
次に、制御部１３２は、通常モードで第１光源１１０および第２光源１２０を制御する（Ｓ８）。通常モードでは、第１光源１１０および第２光源１２０が通常の点灯が行われる。そして、ステップＳ１に戻る。
【００７６】
なお、このフローでは、使用者が施療用照明装置１の電源をＯＦＦにした場合、施療用照明装置１の起動を終了させる。
【００７７】
［評価結果］
本発明者は、人が感じる眩しさの許容度について、図７および図８を用いて評価した。
【００７８】
図７は、正面から被験者に光を当てた場合の評価結果における最大輝度と眩しさの許容度との関係を示すグラフである。図８は、正面に対して斜め４５°から被験者に光を当てた場合の評価結果における最大輝度と眩しさの許容度との関係を示すグラフである。
【００７９】
図７および図８では、環境照度７５０ｌｘの基で健常者１１人の男性を被験者として、人が感じる眩しさの許容度に関する評価を行った。この評価結果の条件は、発光部の面積を１００ｃｍ２、２００ｃｍ２、顔面照度を２０００ｌｘ、３０００ｌｘ、４０００ｌｘ、照射時間を３０秒とした。
【００８０】
本評価では、各条件を組み合わせて、４段階のアンケートを行った。４段階のアンケートは、「気にならない」、「どちらかと言えば許容できる」、「どちらかと言えば許容できない」、「全く許容できない」とした。そして、「気にならない」および「どちらかと言えば許容できる」を０とし、「どちらかと言えば許容できない」および「全く許容できない」を１として、１１名の平均を条件ごとに算出した。
【００８１】
図７および図８の結果から、図８の結果の方が図７の結果よりも、被験者は、眩しさを許容できることが判った。図７では、５０％の人が眩しさを許容できる場合を想定すると、眩しさの許容度は、最大輝度が約４３０００［ｃｄ／ｍ２］までとなる。一方、図８では、５０％の人が眩しさを許容できる場合を想定すると、眩しさの許容度は、最大輝度が約７５０００［ｃｄ／ｍ２］までとなる。つまり、使用者に正面から光を照射するよりも、人間に対して斜めから光を照射する方が眩しさを感じ難くなる（許容でき易くなる）ことが判った。
【００８２】
［作用効果］
次に、本実施の形態おける施療用照明装置１および姿見装置１００の作用効果について説明する。
【００８３】
上述したように、本実施の形態に係る施療用照明装置１は、第１光源１１０と、第２光源１２０と、第１光源１１０の配光軸と第２光源１２０の配光軸とが交差する角度を変更可能なヒンジ７と、角度に応じて第１光源１１０及び第２光源１２０の動作を、周囲を照らす照明光を出射する通常モードと、施療するための施療光を出射する施療モードとに切り替える制御部１３２とを備える。
【００８４】
これによれば、第１光源１１０の配光軸と第２光源１２０の配光軸とが交差する角度をヒンジ７が変更可能である。第１光源１１０の配光軸と第２光源１２０の配光軸とが交差する角度に応じて通常モードと、施療をするための施療モードとに制御部１３２が切り替えるため、使用者が角度を調節するだけで第１光源１１０および第２光源１２０から出射する光量を調節することができる。
【００８５】
したがって、この施療用照明装置１では、光を照射しても眩しさを感じ難い。
【００８６】
また、本実施の形態に係る施療用照明装置１において、制御部１３２は、通常モードでの第２光源１２０の明るさよりも、施療モードでの第２光源１２０を明るく点灯させる。
【００８７】
これによれば、通常モードの場合に第２光源１２０が出射する光よりも、施療モードの場合に第２光源１２０が施療効果のある施療光を多く出射することができる。このため、施療モードでは、使用者を施療することに適している。
【００８８】
また、本実施の形態に係る施療用照明装置１において、制御部１３２は、通常モードでの第１光源１１０の明るさよりも、施療モードでの第１光源１１０を暗く点灯させる。
【００８９】
これによれば、施療モードで第１光源１１０が点灯する場合の方が、通常モードで第１光源１１０が点灯する場合よりも暗いため、施療モードの際に、使用者の正面に照射される光が抑制される。このため、使用者は、施療モードの際に、より眩しさを感じ難くなる。
【００９０】
また、本実施の形態に係る施療用照明装置１において、施療モードでの第２光源１２０の青色成分の光量は、通常モードでの第１光源１１０の青色成分の光量、又は、通常モードでの第２光源１２０の青色成分の光量よりも比率が大きい。
【００９１】
これによれば、施療モードでは、第２光源１２０の青色成分の光量の比率が大きいため、使用者を施療することに適している。
【００９２】
また、本実施の形態に係る施療用照明装置１において、施療モードでの第２光源１２０の青色成分の光量は、通常モードでの第１光源１１０の青色成分の光量、又は、通常モードでの第２光源１２０の青色成分の光量よりも多い。
【００９３】
これによれば、施療モードでの第２光源１２０の青色成分の光量が多いため、第２光源１２０が施療効果のある施療光をより多く出射することができる。このため、施療モードでは、使用者を施療することにより適している。
【００９４】
また、本実施の形態に係る施療用照明装置１において、制御部１３２は、施療モードで動作する場合に、第１光源１１０の配光軸と第２光源１２０の配光軸との角度に応じて、第１光源１１０及び第２光源１２０の少なくとも一方の出力を変化させる。
【００９５】
これによれば、この角度に応じて第１光源１１０及び第２光源１２０の少なくとも一方の出力が変化するため、例えば、この角度が大きくなるに従い、第１光源１１０の光の明るさを明るくし、第２光源１２０の光の明るさを暗くさせることができる。このため、この角度が大きくなれば使用者は、眩しさを感じ難くなるため、第１光源１１０の光量を増やすことで施療光を積極的に照射することができるとともに、第２光源１２０の光量を減らすために、使用者が眩しさを感じ難くなる。
【００９６】
また、本実施の形態に係る施療用照明装置１において、第１光源１１０の両側には、一対の第２光源１２０が設けられる。
【００９７】
これによれば、一対の第２光源１２０が設けられているため、両側から使用者に施療光を照射することができるため、施療効果を向上することができる。
【００９８】
また、本実施の形態に係る姿見装置１００は、施療用照明装置１と、第１光源１１０が配置されるセンターミラー５１と、センターミラー５１の両側に配置される一対のサイドミラー５３とを備える。そして、サイドミラー５３の各々には、第２光源１２０が配置される。
【００９９】
これによれば、第１光源１１０および第２光源１２０がセンターミラー５１およびサイドミラー５３に設けられているため、サイドミラー５３の回動に伴い、第２光源１２０の配光軸を変更することができるため、使い勝手がよい。
【０１００】
また、本実施の形態に係る姿見装置１００は、さらに、ヒンジ７が可動する角度を検知する角度検知部１３１を備える。また、可動部は、センターミラー５１と一対のサイドミラー５３とを接続したヒンジ７である。そして、制御部１３２は、角度検知部１３１が検知したヒンジ７が可動する角度に応じて、通常モードと施療モードとを切り替える。
【０１０１】
これによれば、ヒンジ７の角度を、角度検知部１３１が検知して、この角度に応じて、通常モードと施療モードとを制御部１３２が切り替えるため、使用者がヒンジ７の角度を調節するだけで第１光源１１０および第２光源１２０から出射する光量を調節することができる。したがって、この施療用照明装置１では、使い勝手がよい。
【０１０２】
（実施の形態の変形例）
［構成］
以下、本変形例に係る姿見装置２００の構成について説明する。
【０１０３】
図９は、実施の形態の変形例に係る姿見装置２００の第２光源２２０が回動している状態を示す部分拡大斜視図である。
【０１０４】
本変形例では、第２光源２２０が独立して水平方向に回動する点で実施の形態と相違する。
【０１０５】
この姿見装置２００における他の構成は、実施の形態の姿見装置１００と同様であり、同一の構成については同一の符号を付して構成に関する詳細な説明を省略する。
【０１０６】
図９に示すように、第２光源２２０は、ヒンジ２０７を介してセンターミラー５１又はサイドミラー５３に取付けられている。第２光源２２０は、サイドミラー５３に対して、水平方向にＺ軸方向の軸心周りで回動可能に設けられる。第２光源２２０は、サイドミラー５３に対して独立して回動する。角度検知部１３１は、このヒンジ２０７が可動する角度を検知する。
【０１０７】
なお、第１光源１１０もセンターミラー５１に対してヒンジを介して回動可能であってもよい。
【０１０８】
この姿見装置２００における作用効果は、実施の形態の姿見装置１００と同様の作用効果であり、同一の作用効果については詳細な説明を省略する。
【０１０９】
（その他変形例等）
以上、本発明について、実施の形態及び実施の形態の変形例に基づいて説明したが、本発明は、上記実施の形態及び実施の形態の変形例に限定されるものではない。
【０１１０】
図１０は、変形例に係る姿見装置において、サイドミラーの角度を検知する例を示す模式図である。図１０は姿見装置のＺ軸プラス側から見た図である。図１０に示すように、例えば、上記実施の形態において、ヒンジ７の角度を検知する他の例として、サイドミラー５３とセンターミラー５１との間にマイクロスイッチ２３０を配置することで、ヒンジ７の角度が所定の角度以上となることを検知してもよい。具体的には、センターミラー５１のＹ軸プラス方向側の側面には、スイッチ部２３１を有するマイクロスイッチ２３０が設けられているセンターミラー５１には、サイドミラーの角度が０°の場合に、マイクロスイッチ２３０を収容することができる切り欠き２５１が形成されている。ヒンジ７の金具部２０８には、サイドミラー５３のＹ軸方向プラス側の側面から法線方向に突出する凸部２０９が形成されている。サイドミラー５３の回動に伴い、ヒンジ７が回動するため、ヒンジ７の角度が所定の角度以上となると、ヒンジ７の金具部２０８の凸部２０９がマイクロスイッチ２３０のスイッチ部２３１を押圧する。これにより、角度検知部１３１は、ヒンジ７の角度が所定の角度以上であることを検知することができる。なお、ヒンジ７の角度を検知する方法の一例であり、この方法に限定されない。
【０１１１】
また、上記実施の形態において、第２光源のＸ軸プラス方向側には、配光レンズが配置されていてもよい。この配光レンズは、他のヒンジによって、第２光源およびサイドミラーに対し回動可能に設けられていてもよい。角度検知部は、配光レンズの回動する角度を検知する。制御部は、角度検知部が検知した他のヒンジが可動する角度に応じて、通常モードと施療モードとを切り替えてもよい。
【０１１２】
その他、実施の形態及び実施の形態の変形例に対して当業者が思いつく各種変形を施して得られる形態や、本発明の趣旨を逸脱しない範囲で実施の形態及び実施の形態の変形例における構成要素及び機能を任意に組み合わせることで実現される形態も本発明に含まれる。
【符号の説明】
【０１１３】
１  施療用照明装置
７  ヒンジ（可動部）
５１  センターミラー（第１鏡）
５３  サイドミラー（第２鏡）
１００、２００  姿見装置
１１０  第１光源
１２０  第２光源
１３１  角度検知部
１３２  制御部
【図１】
2018142422.tif 000003
【図２】
2018142422.tif 000004
【図３】
2018142422.tif 000005
【図４】
2018142422.tif 000006
【図５】
2018142422.tif 000007
【図６】
2018142422.tif 000008
【図７】
2018142422.tif 000009
【図８】
2018142422.tif 000010
【図９】
2018142422.tif 000011
【図１０】
2018142422.tif 000012